(57)【要約】【課題】商用電源と負荷に対して並列に接続された蓄電池の温度を管理するための技術を提供する。【解決手段】蓄電池温度取得部１１６は、蓄電池の温度を取得する。電流値取得部１１８は、蓄電池の放電電流値を取得する。制御部３４は、蓄電池温度取得部１１６が取得した温度と電流値取得部１１８が取得した電流値とをもとに、蓄電池を冷却するファン１１４を駆動する閾値となるファン駆動開始温度を決定する。ここで制御部３４は、ファン駆動開始温度の決定後、蓄電池温度取得部１１６が取得した温度がファン駆動開始温度以上となる場合にファンを駆動させる。【選択図】図２
2013200979.tif 000002
【特許請求の範囲】
【請求項１】
蓄電池の温度を取得する蓄電池温度取得部と、
蓄電池の放電電流値を取得する電流値取得部と、
前記蓄電池温度取得部が取得した温度と前記電流値取得部が取得した電流値とをもとに、蓄電池を冷却するファンを駆動する閾値となるファン駆動開始温度を決定する制御部とを備え、
前記制御部は、ファン駆動開始温度の決定後、前記蓄電池温度取得部が取得した温度がファン駆動開始温度以上となる場合にファンを駆動させることを特徴とする制御装置。
【請求項２】
蓄電池を冷却する空気の気温を取得する雰囲気温度取得部をさらに備え、
前記制御部は、前記雰囲気温度取得部が取得した気温も、ファン駆動開始温度の決定に反映させることを特徴とする請求項１に記載の制御装置。
【請求項３】
蓄電池の残容量を取得する残容量取得部をさらに備え、
前記制御部は、前記残容量取得部が取得した残容量も、ファン駆動開始温度の決定に反映させることを特徴とする請求項１または２に記載の制御装置。
【請求項４】
前記制御部は、前記電流値取得部が取得した電流値で放電を継続した場合の蓄電池の推定到達温度が、蓄電池の放電が許可される放電許可温度範囲内に収まる場合、ファンを停止させることを特徴とする請求項１から３のいずれかに記載の制御装置。
【発明の詳細な説明】
【技術分野】
【０００１】
本発明は配電技術に関し、特に蓄電池と商用電源とが併存するシステムにおける蓄電池の電力を制御する技術に関する。
【背景技術】
【０００２】
蓄電池と商用電源とを負荷に並列に接続し、商用電源の停電時に備えて負荷で消費される電力のバックアップとして蓄電池を用いるとともに、通常時は負荷で消費される電力のピークシフトのために蓄電池の電力を充放電する技術が開発されている。このような技術においては、例えば商用電源の電力供給が停止した場合に備えた所定の蓄電容量を蓄電池に確保させておき、蓄電池を停電時の電力供給源とすることがある。
【先行技術文献】
【特許文献】
【０００３】
【特許文献１】特開２００７−１４０６６号公報
【発明の概要】
【発明が解決しようとする課題】
【０００４】
ピークシフト時や商用電源の停電時等に蓄電池を放電すると、蓄電池の内部抵抗で発熱して蓄電池の温度が上がる。このため、蓄電池には冷却するためのファンが備えられることがある。一般に、商用電源の停電時には、蓄電池を冷却するファンを駆動するための電力は蓄電池が供給する。一方で、蓄電池の電力はできる限り負荷に供給することが望ましく、蓄電池の冷却用の電力と負荷に供給する電力とを適切に配分することが求められている。
【０００５】
本発明はこうした状況に鑑みなされたものであり、その目的は、商用電源と負荷に対して並列に接続された蓄電池の電力を制御するための技術を提供することにある。
【課題を解決するための手段】
【０００６】
上記目的を達成するため、本発明のある態様は制御装置である。この装置は、蓄電池の温度を取得する蓄電池温度取得部と、蓄電池の放電電流値を取得する電流値取得部と、前記蓄電池温度取得部が取得した温度と前記電流値取得部が取得した電流値とをもとに、蓄電池を冷却するファンを駆動する閾値となるファン駆動開始温度を決定する制御部とを備える。ここで前記制御部は、ファン駆動開始温度の決定後、前記蓄電池温度取得部が取得した温度がファン駆動開始温度以上となる場合にファンを駆動させる。
【発明の効果】
【０００７】
本発明によれば、商用電源と負荷に対して並列に接続された蓄電池の電力を制御する技術を提供することができる。
【図面の簡単な説明】
【０００８】
【図１】本発明の実施の形態に係る配電システムを模式的に示す図である。
【図２】本発明の実施の形態に係る蓄電池制御部の内部構成およびファンを模式的に示す図である。
【図３】蓄電池の温度および放電電流値と、ファン駆動開始温度とを対応付けたテーブルの一例を示す図である。
【図４】蓄電池の残容量および放電電流値と、ファン駆動開始温度の調整量とを対応付けたテーブルの一例を示す図である。
【図５】本発明の実施の形態に係る蓄電池制御部の処理の流れを説明するフローチャートである。
【発明を実施するための形態】
【０００９】
本発明の実施の形態は、太陽電池を商用電力系統と並列に接続し、商用電源および太陽電池の両方から負荷へ電力を供給するとともに、蓄電池を充電する配電システムに関する。このような配電システムは、例えばオフィスや家庭内等に設置される。電力会社が時間帯別電気料金制度を採用している場合、夜間の時間帯の電気料金は、昼間の時間帯の電気料金よりも安く設定される。これらの時間帯一例として、昼間の時間帯は７時から２３時であり、夜間の時間帯は２３時から翌日の７時というように規定される。このような低い電気料金を有効に利用するために、配電システムは、夜間の時間帯に、商用電源からの電力によって蓄電池に蓄電する。
【００１０】
蓄電池に蓄えられた電力は、商用電源が停電したときに、サーバやエレベータ等の重要な機器を動作するためのバックアップ電源として用いられる。蓄電池はさらに、一般に電気の使用量が大きくなる昼間の時間帯において放電することによって、昼間の商用電力における使用量の最大値を下げる、いわゆるピークシフトとしても用いられる。
【００１１】
このように、蓄電池は特定の負荷のバックアップとしての役割と、ピークシフトとしての役割とのふたつの役割を持つ。実施の形態に係る配電システムは、蓄電池に前述のふたつの役割を果たさせるために、商用電源が通電中の通常時には蓄電池に一定の受電量を確保しつつピークシフトを実行し、商用電源が停電の場合には、蓄電池を放電して特定の負荷に電力を供給する。
【００１２】
図１は、本発明の実施の形態１に係る配電システム１００を模式的に示す図である。実施の形態１に係る配電システム１００は、再生可能エネルギーの発電装置である太陽電池１０、蓄電池１４、商用電源２４、双方向パワーコンディショナ１６、蓄電池制御部１８、負荷２６、第１スイッチ２０、第２スイッチ１２、電源切替部２２、配電経路６６、分電盤６８、および蓄電池電力検出部７０を含む。なお、本明細書において、再生可能エネルギーの発電装置として太陽電池１０を例に説明するが、再生可能エネルギーの発電装置は太陽電池１０に限られず、例えば風力発電装置であってもよく、またこれらが併存していてもよい。
【００１３】
商用電源２４は、電力会社からの電力を供給するための交流電源である。太陽電池１０は、光起電力効果を利用し、光エネルギーを直接電力に変換する発電装置である。分電盤６８は一端において商用電源２４と接続され、他端において双方向パワーコンディショナ１６と接続される。分電盤６８は一端側や他端側から交流電力を受け付け、後述する第２種負荷３０に交流電力を供給する。分電盤６８は、一端側および他端側それぞれから受け付ける交流電力を計測することも可能である。太陽電池１０として、シリコン太陽電池、さまざまな化合物半導体などを素材にした太陽電池、色素増感型（有機太陽電池）等が使用される。
【００１４】
双方向パワーコンディショナ１６は、一端において蓄電池１４および太陽電池１０と接続するとともに、他端において分電盤６８を介して商用電源２４と接続可能となっている。詳細は後述するが、双方向パワーコンディショナ１６は双方向インバータを備え、このインバータは太陽電池１０が発電した電力、または蓄電池１４が放電した電力である直流電力を交流電力に変換するとともに、商用電源２４からの交流電力を直流電力に変換する。
【００１５】
蓄電池１４は、充電を行うことにより電気を蓄えて電池として使用できるようになり、繰り返し使用することができる２次電池である。蓄電池１４は、例えばリチウムイオン２次電池によって実現される。蓄電池１４は、双方向パワーコンディショナ１６によって直流電力に変換された、商用電源２４の電力によって充電される。蓄電池１４はまた、再生可能エネルギー源である太陽電池１０が発電した電力によっても充電される場合がある。蓄電池制御部１８は、蓄電池１４の蓄電量や温度等、蓄電池１４の様々な物理量を測定するとともに、測定した物理量を双方向パワーコンディショナ１６に提供する。蓄電池制御部１８は、蓄電池１４を温めるためのヒーターを制御して蓄電池１４を温めたり、蓄電池１４を冷やすためのファンを制御して蓄電池１４を冷やしたりする等の制御も行う。蓄電池電力検出部７０は、蓄電池１４を充電するための電力および蓄電池１４が放電する電力を計測する。蓄電池制御部１８は、蓄電池電力検出部７０の計測結果も取得する。
【００１６】
太陽電池１０の発電量は太陽光の量によって左右されるため、発電量を制御することは困難である。このため、第２スイッチ１２は、蓄電池１４が過充電されることを防止するために、太陽電池１０の出力端子と、蓄電池１４の入力端子および双方向パワーコンディショナ１６との間をオンまたはオフするために設けられている。第２スイッチ１２の動作の詳細については後述する。
【００１７】
第１スイッチ２０は、双方向パワーコンディショナ１６と商用電源２４との間に設けられており、双方向パワーコンディショナ１６と商用電源２４との間をオンまたはオフする。電源切替部２２は、第１スイッチ２０と双方向パワーコンディショナ１６との間から分岐された第１経路に接続する第１端子５８と、商用電源２４と第１スイッチ２０との間の配電経路６６から分岐された第２経路に接続する第２端子６０とのいずれか一方を、後述する第１種負荷２８に接続させるために選択する。
【００１８】
負荷２６は、第１種負荷２８と第２種負荷３０とをさらに含む。第１種負荷２８と第２種負荷３０とはともに、交流電力で駆動する交流駆動型の電気機器である。第２種負荷３０は商用電源２４と第１スイッチ２０とを接続する配電経路６６からの電力で駆動する。配電経路６６から供給される電力は基本的には分電盤６８を介して商用電源２４から供給される電力であるが、例えばピークシフト実行時には双方向パワーコンディショナ１６を介して蓄電池１４から供給される電力が混合される場合もある。また、ピークシフト実行時に太陽電池１０が発電した電力が配電経路６６に混合される場合もある。さらに、ピークシフト実行時以外であっても、太陽電池１０が発電した電力が配電経路６６に混合される場合もある。
【００１９】
第１種負荷２８は、商用電源２４が停電して電力供給が停止した場合であっても駆動させるべき電気機器であり、配電経路６６を介さずに電力を供給される場合もある。この場合、第１種負荷２８は、双方向パワーコンディショナ１６を介して太陽電池１０や蓄電池１４から電力を供給されるが、商用電源２４からは電力を供給されない。具体的には、商用電源２４が停電すると、第１スイッチ２０がオフとなるとともに、電源切替部２２が第２端子６０をオフにして第１端子５８の接続をオンにする。これにより、負荷２６は商用電源２４から電気的に切り離されるが、双方向パワーコンディショナ１６との電気的な接続は維持される。
【００２０】
本発明の実施の形態に係る蓄電池制御部１８は、蓄電池１４の充放電のための電力を変換する双方向パワーコンディショナ１６に変換させる電力を制御する。
【００２１】
図２は、本発明の実施の形態に係る蓄電池制御部１８の内部構成およびファン１１４を模式的に示す図であり、蓄電池１４を冷却するファン１１４の駆動を制御するための機能構成を説明するための図である。蓄電池制御部１８は、制御部３４、取得部１１０、および記憶部１１２を含む。
【００２２】
取得部１１０は、蓄電池１４に関連する各種物理量を取得する。このため、取得部１１０は、蓄電池温度取得部１１６、電流値取得部１１８、残容量取得部１２０、および雰囲気温度取得部１２２を含む。
【００２３】
蓄電池温度取得部１１６は、蓄電池１４に備え付けられた温度計（図示せず）が計測した蓄電池１４の温度を取得する。電流値取得部１１８は、蓄電池電力検出部７０が計測した蓄電池１４の放電電流の電流値を取得する。残容量取得部１２０は、蓄電池１４の現在の蓄電容量をＳＯＣ（State Of Charge）として取得する。雰囲気温度取得部１２２は、蓄電池１４の冷却する空気の気温を取得する。
【００２４】
制御部３４は、蓄電池温度取得部１１６が取得した蓄電池１４の温度と、電流値取得部１１８が取得した蓄電池１４の放電電流値とをもとに、ファン１１４の駆動を制御する。具体的に、制御部３４は、蓄電池１４の温度がある温度以上となった場合にファン１１４を駆動するための閾値となる温度を決定する。ここで「閾値となる温度」とは、ファン１１４を駆動するか否かを決定するための閾値とする「ファン駆動開始温度」である。制御部３４は、蓄電池温度取得部１１６が取得した蓄電池１４の温度と、電流値取得部１１８が取得した蓄電池１４の放電電流値とをもとに、記憶部１１２が格納するテーブルを参照してファン駆動開始温度を決定する。以下、制御部３４がファン駆動開始温度を決定する際に参照するテーブルにいて説明する。
【００２５】
一般に、蓄電池１４の放電時の発熱量は、放電電流あるいは放電電力と相関がある。したがって、放電電流が少ない場合の蓄電池１４の温度増加は、放電電流が多い場合の蓄電池１４の温度増加と比較して小さくなる傾向がある。このため、蓄電池１４がある温度のとき、その後放電を継続することによって蓄電池１４の温度が、蓄電池１４の放電が許可される放電許可温度範囲を超えるか否かは、放電電流値の大きさによって異なる場合がある。また、制御部３４がファン駆動開始温度を決定する時点において蓄電池１４の温度が低い場合は、温度が高い場合と比較して、放電許可温度範囲の上限付近まで温度が増加する間に、蓄電池１４の残容量が少なくなる。このため、蓄電池１４が放電を終えるまで放電許可温度範囲を超えない場合もあると考えられる。
【００２６】
そこで、制御部３４がファン駆動開始温度を決定する際に、そのときの蓄電池１４の温度と放電電流値とを反映させる。これにより、蓄電池１４の冷却用の電力を適切に配分することが可能となる。
【００２７】
図３は、蓄電池１４の温度および放電電流値と、ファン駆動開始温度とを対応付けたテーブルの一例を示す図である。図３において、エントリ中の数字はファン駆動開始温度［℃］を表す。また。エントリ中の「ＯＮ」は、蓄電池１４の温度および放電電流値に関わらずファン１１４を駆動することを表し、「ＯＦＦ」は、蓄電池１４の温度および放電電流値に関わらずファン１１４を停止することを表す。
【００２８】
制御部３４は、図３に示すテーブルに格納されている蓄電池１４の温度のうち、蓄電池温度取得部１１６が取得した温度と最も近い温度を選択する。制御部３４はまた、テーブルに格納されている放電電流のうち、電流値取得部１１８が取得した放電電流値と最も近い電流値を選択する。制御部３４は、選択した温度と放電電流値とに対応付けられているファン駆動開始温度を取得する。制御部３４は、テーブルからファン駆動開始温度の取得してファン駆動開始温度を決定した後は、蓄電池温度取得部１１６が取得した温度がファン駆動開始温度以上となる場合に、ファン１１４を駆動させて蓄電池１４を冷却する。
【００２９】
図３に示すテーブルにおいては、ファン駆動開始温度を決定する時点における蓄電池１４の温度が低いほど、ファン駆動開始温度は高くなる。また、蓄電池１４の放電電流値が小さいほど、ファン駆動開始温度は高くなる。これにより、例えば蓄電池１４の温度が所定の温度に達した場合にファン１１４を駆動し、冷却によって蓄電池１４の温度が所定の温度未満になった場合にファン１１４を停止する、いわゆるオンオフ制御によってファン１１４の駆動を制御する場合と比較して、ファン１１４の駆動電力を抑制し、その分を第１種負荷２８へ供給する電力とすることが可能となる。オンオフ制御によってファン１１４の駆動を制御する場合は、図３に示すテーブルでいうところのファン駆動開始温度を全て同一の温度とすることに相当するが、その場合は図３に示すテーブルにおける最も低い温度に設定する必要があり、結果としてファン１１４の駆動時間が増加することになるからである。
【００３０】
図３に示すテーブルに格納されているファン駆動開始温度はあくまでも一例であり、これに限定されない。ファン駆動開始温度は、蓄電池１４の容量や性質等を考慮して実験により定めればよい。具体的には、蓄電池１４のＳＯＣが１００％から０％に至るまで放電電流値を固定して放電を継続した場合における蓄電池１４の温度増加を計測する。その温度増加分を蓄電池１４の放電が許可される放電許可温度範囲の上限から減算し、必要に応じてマージンを取ってファン駆動開始温度を定めればよい。また、テーブルの刻み幅は、記憶部１１２の記憶容量と求められる精度等を勘案して実験により定めればよい。
【００３１】
ところで、制御部３４はファン１１４を駆動させて蓄電池１４を空冷冷却するのであるが、蓄電池１４を冷却する空気の温度が蓄電池１４の温度より高い場合、蓄電池１４の温度を増加させることになりかねない。そこで制御部３４は、雰囲気温度取得部１２２が取得した気温も、ファン駆動開始温度の決定に反映させることが好ましい。具体的には、制御部３４は、雰囲気温度取得部１２２が取得した冷却用の空気の温度が、図３に示すテーブルを参照して取得したファン駆動開始温度よりも高い場合、ファン駆動開始温度を雰囲気温度取得部１２２が取得した温度とする。これにより、ファン１１４を駆動させることによってかえって蓄電池１４の温度を増加させることを防止することができる。
【００３２】
上述したように、図３に示すテーブルに格納されるファン駆動開始温度は、蓄電池１４のＳＯＣが１００％から０％に至るまで放電を継続することを仮定して定められる。実際の運用時においては、蓄電池１４のＳＯＣが必ずしも１００％であるとは限らない。そこで制御部３４は、残容量取得部１２０が取得した蓄電池１４のＳＯＣも、ファン駆動開始温度の決定に反映させることが好ましい。蓄電池１４のＳＯＣが１００％未満の場合、放電電流の量も小さくなるため、放電に伴う蓄電池１４の温度増加量も小さくなる。したがって、蓄電池１４のＳＯＣが少ない場合は、多い場合と比較して、ファン駆動開始温度を上げることができる。これにより、ファン１１４の駆動電力を抑制し、その分を第１種負荷２８へ供給する電力とすることが可能となる。
【００３３】
図４は、蓄電池１４の残容量および放電電流値と、ファン駆動開始温度の調整量とを対応付けたテーブルの一例を示す図である。図３において、エントリ中の数字はファン駆動開始温度の調整量［℃］を表す。図４に示すテーブルも、記憶部１１２に格納されている。
【００３４】
制御部３４は、図４に示すテーブルに格納されている蓄電池１４のＳＯＣのうち、残容量取得部１２０が取得した残容量と最も近いＳＯＣを選択する。制御部３４はまた、テーブルに格納されている放電電流のうち、電流値取得部１１８が取得した放電電流値と最も近い電流値を選択する。制御部３４は、選択したＳＯＣと放電電流値とに対応付けられている調整量を取得する。制御部３４は、図３を参照して決定したファン駆動開始温度に調整量を加算することで、新たなファン駆動開始温度を取得する。制御部３４は、蓄電池温度取得部１１６が取得した温度が、蓄電池１４のＳＯＣを反映して調整したファン駆動開始温度以上となる場合に、ファン１１４を駆動させて蓄電池１４を冷却する。
【００３５】
図４に示すテーブルにおいては、調整量を選択する時点における蓄電池１４のＳＯＣが小さいほど、調整量は大きくなる。蓄電池１４のＳＯＣが小さい場合、放電可能な電流の量が少ないので、蓄電池１４の温度増加の幅が小さいからである。また、蓄電池１４の放電電流値が小さいほど、調整量は大きくなる。このように、図４に示すテーブルを参照することにより、制御部３４は、蓄電池１４の実際のＳＯＣを反映させてファン駆動開始温度を決定することができ、ファン駆動開始温度をより精度よく決定することが可能となる。
【００３６】
ここで制御部３４は、電流値取得部１１８が取得した電流値で蓄電池１４の放電を継続したと仮定した場合における蓄電池１４の推定到達温度が、放電許可温度範囲内に収まる場合、蓄電池１４の温度がファン駆動開始温度に到達しているか否かにかかわらず、ファン１１４を停止させてもよい。制御部３４がファン１１４を駆動させる目的は蓄電池１４の温度が放電許可温度範囲を上回ることを防止することにある。したがって、蓄電池１４の温度が放電許可温度範囲以内に収まることが推定できるのであれば、そもそもファン１１４を駆動させる必要がない。これにより、ファン１１４を駆動させる電力を第１種負荷２８へ供給する電力に回すことが可能となる。
【００３７】
図４に示すテーブルに格納されているファン駆動開始温度の調整量はあくまでも一例であり、これに限定されない。ファン駆動開始温度の調整量は、図３に示すファン駆動開始温度のテーブルと同様に、蓄電池１４の容量や性質等を考慮して実験により定めればよい。また、テーブルの刻み幅は、記憶部１１２の記憶容量と求められる精度等を勘案して実験により定めればよい。また、上述した蓄電池１４の推定到達温度は、例えば放電電流値および電流を流す時間とそのときの蓄電池１４の温度上昇との関係を示すテーブルを実験により定めて記憶部１１２に記憶しておき、制御部３４がそのテーブルを参照して取得すればよい。
【００３８】
図５は、本発明の実施の形態に係る蓄電池制御部１８の処理の流れを説明するフローチャートである。本フローチャートにおける処理は、例えば蓄電池制御部１８が起動したときに開始する。
【００３９】
蓄電池温度取得部１１６は、蓄電池１４の温度ＴＢを取得する（Ｓ２００）。電流値取得部１１８は、蓄電池１４が放電する電流値である放電電流値Ｉを取得する（Ｓ２０２）。
【００４０】
雰囲気温度取得部１２２は、蓄電池１４を冷却する空気の温度Ｔａｉｒを取得する（Ｓ２０４）。制御部３４は、蓄電池温度取得部１１６が取得した蓄電池１４の温度ＴＢと電流値取得部１１８が取得した放電電流値Ｉとをもとに、記憶部１１２に格納されたファン駆動開始温度のテーブルを参照してファン駆動開始温度ＴＦＡＮを決定する（Ｓ２０６）。
【００４１】
雰囲気温度取得部１２２が取得した温度Ｔａｉｒがファン駆動開始温度ＴＦＡＮよりも高い場合（Ｓ２０８のＹ）、制御部３４は、ファン駆動開始温度ＴＦＡＮを温度Ｔａｉｒに設定する（Ｓ２１０）。雰囲気温度取得部１２２が取得した温度Ｔａｉｒがファン駆動開始温度ＴＦＡＮ以下の場合（Ｓ２０８のＮ）、制御部３４は、ファン駆動開始温度ＴＦＡＮに温度Ｔａｉｒを反映しない。
【００４２】
残容量取得部１２０は、蓄電池１４のＳＯＣを取得する（Ｓ２１２）。制御部３４は、残容量取得部１２０が取得したＳＯＣと電流値取得部１１８が取得した放電電流値Ｉとをもとに、記憶部１１２に格納されたファン駆動開始温度の調整量テーブルを参照してファン駆動開始温度ＴＦＡＮの調整量を取得し、ファン駆動開始温度ＴＦＡＮを調整する（Ｓ２１４）。制御部３４がファン駆動開始温度ＴＦＡＮを調整すると、本フローチャートにおける処理は終了する。
【００４３】
以上、本発明の実施の形態に係る配電システム１００によれば、商用電源と並列に接続された蓄電池を管理するための技術を提供することができる。
【００４４】
特に、制御部３４が、蓄電池１４の放電電流値、蓄電池１４の温度、蓄電池１４のＳＯＣ、および蓄電池１４を冷却する空気の温度を考慮してファン１１４の駆動を制御するためのファン駆動開始温度を決定することにより、蓄電池１４の冷却用の電力と第１種負荷２８に供給する電力とを適切に配分することができる。
【００４５】
以上、本発明を実施の形態をもとに説明した。この実施の形態は例示であり、それらの各構成要素や各処理プロセスの組み合わせにいろいろな変形例が可能なこと、またそうした変形例も本発明の範囲にあることは当業者に理解されるところである。
【００４６】
例えば上述した実施の形態において、制御部３４は蓄電池制御部１８に設置される場合について説明したが、制御部３４は蓄電池制御部１８に設置されることは必須ではない。制御部３４の設置場所は自由度があり、例えば双方向パワーコンディショナ１６内に設置されてもよく、また、単独で存在してもよい。
【００４７】
上述した実施の形態において、制御部３４は図３または図４に示すテーブルを参照するときに、取得した物理量と最も近い物理量に対応するエントリを参照する場合について説明した。これに代えて、制御部３４は補間計算によって参照すべき値を算出してもよい。これは例えば線形補間やスプライン補間等の既知の補間技術を用いて実現できる。ファン駆動開始温度やその補正量をより精度よく取得しうる点、および記憶部１１２に格納するデータ量を少なくしうる点で効果がある。
【符号の説明】
【００４８】
１０  太陽電池、  １２  第２スイッチ、  １４  蓄電池、  １６  双方向パワーコンディショナ、  １８  蓄電池制御部、  ２０  第１スイッチ、  ２２  電源切替部、  ２４  商用電源、  ２６  負荷、  ２８  第１種負荷、  ３０  第２種負荷、  ３４  制御部、  ５８  第１端子、  ６０  第２端子、  ６６  配電経路、  ６８  分電盤、  ７０  蓄電池電力検出部、  １００  配電システム、  １１０  取得部、  １１２  記憶部、  １１４  ファン、  １１６  蓄電池温度取得部、  １１８  電流値取得部、  １２０  残容量取得部、  １２２  雰囲気温度取得部。
【図１】
2013200979.tif 000003
【図２】
2013200979.tif 000004
【図３】
2013200979.tif 000005
【図４】
2013200979.tif 000006
【図５】
2013200979.tif 000007